(57)【要約】【課題】毛髪の施術効果をより高めることのできる加熱送風装置を得る。【解決手段】加熱送風装置１は、吐出口４ｂから温風と冷風とを所定の周期で交互に吐出させる温冷モードを選択する送風モード選択部１９と、加熱部８への通電のオン・オフを制御する通電制御部１０ａと、を備えている。そして、通電制御部１０ａは、送風モード選択部１９により温冷モードが選択された状態において、所定の周期内で加熱部８を通電する通電時間を３秒以下とするとともに、加熱部８に入力する電力と通電時間との積が１０００Ｗ・ｓ以上となるように制御する第１の通電制御モードを有している。【選択図】図１３
2018143283.tif 000002
【特許請求の範囲】
【請求項１】
吸入口から吐出口に至る送風流路が設けられ、外郭を構成するハウジングと、
前記ハウジング内に設けられ、前記吸入口から吸入した空気を前記吐出口から吐出させる送風部と、
前記ハウジング内に設けられ、前記送風部により送風される風を加熱する加熱部と、
前記吐出口から温風と冷風とを所定の周期で交互に吐出させる温冷モードを選択する送風モード選択部と、
前記加熱部への通電のオン・オフを制御する通電制御部と、
を備え、
前記通電制御部は、前記送風モード選択部により前記温冷モードが選択された状態において、前記所定の周期内で前記加熱部を通電する通電時間を３秒以下とするとともに、前記加熱部に入力する電力と前記通電時間との積が１０００Ｗ・ｓ以上となるように制御する第１の通電制御モードを有することを特徴とする加熱送風装置。
【請求項２】
前記送風部により前記吐出口から吐出される風の風量を制御する風量制御部をさらに備えており、
前記風量制御部は、前記吐出口から吐出される風の風量が１ｍ３／分以下となるように制御する第１の送風制御モードを有しており、
前記第１の送風制御モードが動作しているときに、前記第１の通電制御モードを動作させるようにしたことを特徴とする請求項１に記載の加熱送風装置。
【請求項３】
前記ハウジング内に設けられて荷電粒子を生成する荷電粒子生成部と、
前記荷電粒子生成部で生成される荷電粒子の生成量を制御する荷電粒子生成量制御部と、
をさらに備え、
前記荷電粒子生成量制御部は、第１の荷電粒子生成量制御モードと、前記第１の荷電粒子生成量制御モードとは異なる量の荷電粒子を生成する第２の荷電粒子生成量制御モードと、を有しており、
前記第１の通電制御モードを動作させた状態において、前記第１の荷電粒子生成量制御モードと前記第２の荷電粒子生成量制御モードとが動作しており、
前記加熱部を通電する時間のうち少なくとも一部の時間で前記第２の荷電粒子生成量制御モードが作動していることを特徴とする請求項１または請求項２に記載の加熱送風装置。
【請求項４】
前記第２の荷電粒子生成量制御モードで生成される荷電粒子の量が、前記第１の荷電粒子生成量制御モードで生成される荷電粒子の量よりも多いことを特徴とする請求項３に記載の加熱送風装置。
【発明の詳細な説明】
【技術分野】
【０００１】
本発明は、加熱送風装置に関するものである。
【背景技術】
【０００２】
従来、加熱送風装置として、吸込口から吸入した空気を吹出口から吐出させる送風部と、送風部により送風された風を加熱する加熱部と、を備えるものが知られている（例えば、特許文献１参照）。
【０００３】
この特許文献１では、加熱部への通電を間欠的に行うことで、自動的に温風モードと冷風モードとが交互に切り換わるようにしている。すなわち、加熱送風装置の吐出口から温風と冷風とが所定の周期で交互に吐出されるようにしている。
【０００４】
そして、温風と冷風とを吐出口から交互に吐出させ、毛髪に温風と冷風を交互にあてることで、毛髪のくせ伸ばし効果や、それに伴う毛髪の艶だし効果等を与えられるようにしている。
【０００５】
具体的には、毛髪に温風をあてた際には、毛髪に熱が加えられて毛髪繊維同士の水素結合が切断された状態となる。そのため、毛髪に温風があてられているとき（毛髪繊維同士の水素結合が切断された状態のとき）に、手やブラシ等を使って毛髪を整えるようにすると、毛髪をより容易に所望形状（くせを伸ばした形状等）とすることができる。一方、毛髪繊維同士の水素結合が切断された状態の毛髪に冷風をあてると、毛髪が冷却されて毛髪繊維同士が水素結合した状態となる。そのため、所望形状に整えられた毛髪に冷風をあてて冷却すれば、所望形状に整えられた状態で毛髪繊維同士が水素結合して、毛髪を所望形状で維持することが可能となる。
【０００６】
このように、温風と冷風とを吐出口から交互に吐出させるようにすれば、毛髪を所望の形状にセットすることができ、毛髪の施術効果を高めることができる。
【先行技術文献】
【特許文献】
【０００７】
【特許文献１】特許第５５０４２２７号公報
【発明の概要】
【発明が解決しようとする課題】
【０００８】
しかしながら、ブラシ等を使って毛先を整えようとした場合、毛先にテンションをかけ続けることが難しく、十分な施術効果が得られない場合がある。
【０００９】
また、上記従来の技術では、加熱部への通電時間が３〜１０秒、温風と冷風の切替周期が１２秒と比較的長くなっている。そのため、手を使って毛先にテンションをかけ続けようとすると、温風が手に長い時間あたってしまい、手を使って毛先にテンションをかけ続けることも難しく、やはり十分な施術効果が得られない場合がある。
【００１０】
このように、上記従来の技術では、熱さや施術動作の関係で、手やブラシ等を使って毛先を整えようとすることが難しく、毛髪に十分な施術効果を与えられない場合がある。
【００１１】
本発明は、上記従来の課題を解決するもので、毛髪の施術効果をより高めることのできる加熱送風装置を提供することを目的とする。
【課題を解決するための手段】
【００１２】
上記従来の課題を解決するために、本発明の加熱送風装置は、吸入口から吐出口に至る送風流路が設けられ、外郭を構成するハウジングと、前記ハウジング内に設けられ、前記吸入口から吸入した空気を前記吐出口から吐出させる送風部と、前記ハウジング内に設けられ、前記送風部により送風される風を加熱する加熱部と、を備えるものである。
【００１３】
また、加熱送風装置は、前記吐出口から温風と冷風とを所定の周期で交互に吐出させる温冷モードを選択する送風モード選択部と、前記加熱部への通電のオン・オフを制御する通電制御部と、を備えるものである。
【００１４】
そして、前記通電制御部は、前記送風モード選択部により前記温冷モードが選択された状態において、前記所定の周期内で前記加熱部を通電する通電時間を３秒以下とするとともに、前記加熱部に入力する電力と前記通電時間との積が１０００Ｗ・ｓ以上となるように制御する第１の通電制御モードを有するものである。
【００１５】
こうすれば、毛髪のくせを伸ばす等の施術に必要な髪温度（毛髪繊維同士の水素結合を切断できる髪温度）を、比較的短い時間で得ることができ、毛先の整髪も行いやすくなって、毛髪の施術効果をより向上させることが可能となる。
【発明の効果】
【００１６】
本発明によれば、毛髪の施術効果をより高めることのできる加熱送風装置を得ることができる。
【図面の簡単な説明】
【００１７】
【図１】本発明の実施の形態１にかかる加熱送風装置の側面図である。
【図２】本発明の実施の形態１にかかる加熱送風装置の正面図である。
【図３】本発明の実施の形態１にかかる加熱送風装置の断面図である。
【図４】本発明の実施の形態１にかかる加熱送風装置の上側内部を示す平面図である。
【図５】本発明の実施の形態１にかかる内側ノズルを示す図であって、（ａ）は斜視図、（ｂ）は正面図である。
【図６】内側ノズルの変形例を示す図であって、（ａ）は斜視図、（ｂ）は正面図である。
【図７】図５に示す内側ノズルを通過する風の流れを説明する図である。
【図８】図６に示す内側ノズルを通過する風の流れを説明する図である。
【図９】本発明の実施の形態１にかかる加熱送風装置の電気系統の一部を示すブロック図である。
【図１０】風量と毛先の保持性との関係を示す特性図である。
【図１１】投入エネルギーと温風温度との関係を示す特性図である。
【図１２】各送風モードにおける加熱部の通電状態および荷電粒子の生成量を説明する図である。
【図１３】温風モードおよび温冷モードにおける送風部、加熱部の動作、荷電粒子の発生状態を示す特性図である。
【図１４】加熱送風装置の変形例を示す断面図である。
【発明を実施するための形態】
【００１８】
本発明の実施の形態にかかる加熱送風装置は、吸入口から吐出口に至る送風流路が設けられ、外郭を構成するハウジングと、前記ハウジング内に設けられ、前記吸入口から吸入した空気を前記吐出口から吐出させる送風部と、前記ハウジング内に設けられ、前記送風部により送風される風を加熱する加熱部と、を備えるものである。
【００１９】
また、加熱送風装置は、前記吐出口から温風と冷風とを所定の周期で交互に吐出させる温冷モードを選択する送風モード選択部と、前記加熱部への通電のオン・オフを制御する通電制御部と、を備えるものである。
【００２０】
そして、前記通電制御部は、前記送風モード選択部により前記温冷モードが選択された状態において、前記所定の周期内で前記加熱部を通電する通電時間を３秒以下とするとともに、前記加熱部に入力する電力と前記通電時間との積が１０００Ｗ・ｓ以上となるように制御する第１の通電制御モードを有するものである。
【００２１】
こうすれば、毛髪のくせを伸ばす等の施術に必要な髪温度（毛髪繊維同士の水素結合を切断できる髪温度）を、比較的短い時間で得ることができ、毛先の整髪も行いやすくなって、毛髪の施術効果をより向上させることが可能となる。
【００２２】
また、前記加熱送風装置が、前記送風部により前記吐出口から吐出される風の風量を制御する風量制御部をさらに備えていてもよく、前記風量制御部が、前記吐出口から吐出される風の風量が１ｍ３／分以下となるように制御する第１の送風制御モードを有するようにしてもよい。
【００２３】
そして、前記第１の送風制御モードが動作しているときに、前記第１の通電制御モードを動作させるようにしてもよい。
【００２４】
こうすれば、風があたることで毛先が逃げてしまう（ばらけすぎてしまう）のが抑制されるため、熱をより安定的に毛先に伝えることができるようになって、毛髪の施術効果をより向上させることができる。
【００２５】
また、前記加熱送風装置が、前記ハウジング内に設けられて荷電粒子を生成する荷電粒子生成部と、前記荷電粒子生成部で生成される荷電粒子の生成量を制御する荷電粒子生成量制御部と、をさらに備えるようにしてもよい。
【００２６】
そして、前記荷電粒子生成量制御部が、第１の荷電粒子生成量制御モードと、前記第１の荷電粒子生成量制御モードとは異なる量の荷電粒子を生成する第２の荷電粒子生成量制御モードと、を有するようにしてもよい。
【００２７】
さらに、前記第１の通電制御モードを動作させた状態において、前記第１の荷電粒子生成量制御モードと前記第２の荷電粒子生成量制御モードとを動作させ、前記加熱部を通電する時間のうち少なくとも一部の時間で前記第２の荷電粒子生成量制御モードを作動させるようにしてもよい。
【００２８】
こうすれば、毛髪の状態に合わせて荷電粒子の発生量を変化させることができ、荷電粒子の毛髪への付着状態をより安定させることが可能となる。また、より確実に静電気の除去を行うことが可能となる。
【００２９】
このとき、前記第２の荷電粒子生成量制御モードで生成される荷電粒子の量を、前記第１の荷電粒子生成量制御モードで生成される荷電粒子の量よりも多くすることが可能である。
【００３０】
こうすれば、毛髪の温度に合わせて荷電粒子の発生量を変化させることができ、毛髪表面の導電性が変化した場合であっても、荷電粒子の毛髪への付着状態をより安定させることが可能となる。また、より確実に静電気の除去を行うことが可能となる。
【００３１】
以下、本発明の実施の形態について、図面を参照しながら説明する。なお、この実施の形態によって本発明が限定されるものではない。
【００３２】
（実施の形態１）
本実施の形態１にかかる加熱送風装置としてのヘアドライヤ１は、使用者が手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施の形態１では略Ｔ字状）の外観を呈するように折り畳み可能に構成されている。
【００３３】
把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。なお、先端部１ｄは、本体部１ｂに沿う位置まで折り畳むことができるようになっている。
【００３４】
ヘアドライヤ１の外壁をなす（外郭を構成する）ハウジング３は、複数の分割体を継ぎ合わせて構成されている。ハウジング３の内部には空洞が形成されており、この空洞内に、各種電気部品が収容されている。
【００３５】
本体部１ｂの内部には、その長手方向（図３の左右方向）の一方側（右側）の入口開口（吸入口）４ａから出口開口（吐出口）４ｂに至る風洞（送風流路）４が形成されており、この風洞４内には、送風部５が収容されている。送風部５は、ファン５ａと、ファン５ａを回転させるモータ５ｂと、を備えている。そして、モータ５ｂを駆動させてファン５ａを回転させることによって空気流Ｗが形成される。この空気流Ｗは、外部から入口開口４ａを介して風洞４内に流入し、主として風洞４内を通って出口開口４ｂから外部に排出されるものである。
【００３６】
本実施の形態１では、入口開口（吸入口）４ａが網目状の枠体８１で覆われており、この枠体８１の開口部の形状がハニカム形状となっている。また、枠体８１には、図３に示すように、開口率が５５〜９０パーセント程度であって、３００〜６５０μｍ程度の網目幅のメッシュ８２が一体成形されている。このメッシュ８２は、例えば金属やポリエステルなどの難燃性樹脂を用いることができ、このように網目幅の細かいメッシュ８２を一体成形することで、細かい埃や毛髪などが空気流路内に入ってしまうのをより確実に抑制できるようにしている。
【００３７】
また、本体部１ｂにおいて、ハウジング３の外筒３ａの内部には、略円筒状の内筒６が設けられており、空気流Ｗは、主に内筒６の内側を流れるようになっている。この内筒６の内側では、最も上流側にファン５ａが配置され、その下流側にファン５ａを駆動するモータ５ｂが配置され、モータ５ｂのさらに下流側に加熱部としてのヒータ８が配置されている。
【００３８】
そして、ヒータ８を作動させたときには、出口開口４ｂから温風が吹き出されるようにしている。なお、本実施の形態１では、ヒータ８は、帯状かつ波板状の電気抵抗体を内筒６の内周に沿って巻回して配置したものとして構成されているが、かかる構成には限定されない。
【００３９】
内筒６は、筒状部６ａと、筒状部６ａから径方向外側に向けて伸びて周方向に分散して配置された複数の支持リブ６ｂ（図３では一箇所のみ図示）と、支持リブ６ｂを介して筒状部６ａに接続され当該筒状部６ａの軸方向と略直交する方向に張り出すフランジ部６ｃと、を有している。
【００４０】
そして、筒状部６ａとフランジ部６ｃとの間には間隙ｇ１が形成されており、この間隙ｇ１を介して空洞９内に空気流Ｗの一部が分岐されて流入する（分岐流が形成される）ようにしている。なお、分岐流の空洞９内への導入口となる間隙ｇ１は、ファン５の下流でありかつヒータ８の上流側となる位置に設けられている。したがって、分岐流は、ヒータ８によって加熱される前の比較的冷たい空気流となっている。
【００４１】
また、空洞９内に流入した分岐流は、一部がさらに分岐されて、内筒６とハウジング３との間を通って出口開口４ｂの外周部分から吹き出されるようになっている。この分岐流の一部は、後述する金属微粒子吹出口（荷電粒子放出口）２０ａ，２０ｂやミスト吹出口（荷電粒子放出口）２０ｃを通過せずに、内筒６とハウジング３との間を通って出口開口４ｂの外周部分から吹き出される比較的冷たい空気流となっている。
【００４２】
本実施の形態１では、ハウジング３における空洞９の出口開口４ｂ側となる位置に、略円弧状の貫通孔（開口）３ｂが形成されており、この貫通孔３ｂが絶縁性の合成樹脂材料からなるカバー２０で塞がれている。このカバー２０は、ハウジング３に対して、下流側から上流側に移動させることで、ハウジング３に取り付けられている。
【００４３】
さらに、カバー２０の下流側には、略円筒状の外側ノズル２０ｆが一体に形成されており、カバー２０をハウジング３に取り付けた際に、この外側ノズル２０ｆによって出口開口４ｂの外周が画成されるようにしている。
【００４４】
また、内筒６の下流端には、外側ノズル２０ｆよりも小径の略円筒状をした内側ノズル２１が取り付けられており、この内側ノズル２１の下流側開口が出口開口４ｂの一部となるようにしている。
【００４５】
このように、本実施の形態１では、内筒６の下流端に内側ノズル２１を取り付けるとともに、カバー２０をハウジング３に取り付けることで、外側ノズル２０ｆと内側ノズル２１とで、二重筒構造のノズルが形成されるようにしている。
【００４６】
したがって、送風部５を駆動させることで形成される空気流Ｗは、大半が内筒６内に導入されて内側ノズル２１の開口（出口開口４ｂの中心）から吹き出される主空気流Ｗ１となるが、一部の空気流Ｗが分岐流Ｗ２や分岐流Ｗ３となる。なお、分岐流Ｗ２は、空洞９内に流入し、金属微粒子吹出口２０ａ，２０ｂやミスト吹出口２０ｃを通過せずに、外側ノズル２０ｆと内側ノズル２１との間（出口開口４ｂの外周側）から吹き出される空気流である。また、分岐流Ｗ３は、空洞９内に流入し、金属微粒子吹出口２０ａ，２０ｂやミスト吹出口２０ｃから吹き出される空気流である。
【００４７】
さらに、本実施の形態１では、主空気流Ｗ１は、内側ノズル２１に形成された２つの窓部（第１の窓部２３１および第２の窓部２３２）から吹き出されるようになっている（図５および図７参照）。
【００４８】
具体的には、内側ノズル２１は、略円筒状の本体部２１０と、本体部２１０の内部空間を２つの空間に分割する桟部２２０と、を備えている。この桟部２２０は、本体部２１０の左右方向中央部に上下方向に延在するように形成されている。こうすることで、内側ノズル２１の左右に窓部２３１，２３２がそれぞれ形成されるようにしている。
【００４９】
なお、本体部２１０の外周には、取付片部２１１が複数形成されており、この取付片部２１１を内筒６に係合させることで、内側ノズル２１が内筒６に取り付けられるようにしている。
【００５０】
また、桟部２２０は、図７に示すように、水平断面の形状が略Ｕ字状となるように形成されている。すなわち、桟部２２０の下流側に形成された左右一対の壁部２２１，２２１を前後方向（送風方向）に略平行に延在させている。
【００５１】
このような構成をした内側ノズル２１を用い、２つの窓部２３１，２３２から空気流を吐出させるようにすれば、風（温風や冷風）をより均等に毛髪にあてることができるようになる。そして、毛髪に風をより均等に当てるようにすれば、毛髪を適度にほぐす（ばらけさせる）ことができるため、毛髪の乾燥性能をより向上させることができる。
【００５２】
ただし、図５に示す内側ノズル２１を用い、出口開口４ｂから空気を吐出させるようにすると、桟部２２０の下流側近傍に負圧が生じてしまう。そのため、内側ノズル２１から吹き出される主空気流Ｗ１を２つの空気流（２つの空気の束）に分岐させたとしても、２つの空気流は比較的早い段階で合流してしまう（図７参照）。したがって、図５に示す内側ノズル２１を用いた場合には、ほぼ１つの束の空気流が毛髪にあたる可能性が高く、毛髪の乾燥性能を向上させることができないことがある。
【００５３】
そのため、内側ノズル２１の替わりに、図６および図８に示す内側ノズル２１Ａを用いるのが好ましい。
【００５４】
この内側ノズル２１Ａも、略円筒状の本体部２１０Ａと、本体部２１０Ａの内部空間を２つの空間に分割する桟部２２０Ａと、を備えており、桟部２２０Ａが、本体部２１０Ａの左右方向中央部に上下方向に延在するように形成されている。こうして、内側ノズル２１Ａの左右に窓部２３１Ａ，２３２Ａがそれぞれ形成されるようにしている。
【００５５】
また、本体部２１０Ａの外周には、取付片部２１１Ａが複数形成されており、この取付片部２１１Ａを内筒６に係合させることで、内側ノズル２１Ａが内筒６に取り付けられるようになっている。
【００５６】
ここで、内側ノズル２１Ａでは、図８に示すように、桟部２２０Ａは、水平断面形状が略Ｖ字状となるように形成されている。すなわち、桟部２２０Ａの下流側に形成された左右一対の壁部２２１Ａ，２２１Ａが下流側に向かうにつれて互いに離れるように設けられている。こうすることで、内側ノズル２１から吹き出される主空気流Ｗ１を、より確実に２つの空気流（２つの空気の束）に分岐させるようにしている。
【００５７】
さらに、内側ノズル２１Ａでは、本体部２１０Ａの上下両端部に、中心に向けて凹む溝部２１２Ａ，２１２Ａがそれぞれ形成されており、この溝部２１２Ａ，２１２Ａは、下流側の溝深さが上流側の溝深さよりも深くなるように形成されている。
【００５８】
そして、本体部２１０Ａに、このような溝部２１２Ａ，２１２Ａを設けると、出口開口４ｂから空気を吐出させた際に、外側ノズル２０ｆと内側ノズル２１との間（出口開口４ｂの外周側）から吹き出される分岐流Ｗ２が桟部２２０Ａの下流側の中心部分に流れるようになる。そのため、桟部２２０Ａの下流側近傍に生じる負圧を緩和させることができる。
【００５９】
このように、内側ノズル２１の替わりに内側ノズル２１Ａを用いれば、桟部２２０Ａの下流側近傍に負圧が生じてしまうことが抑制されるため、２つの空気流（２つの空気の束）に分岐させた状態をより確実に維持することができる。その結果、２つの空気流（２つの空気の束）を毛髪にあてることができ、毛髪を適度にほぐす（ばらけさせる）ことができるため、毛髪の乾燥性能をより向上させることができるようになる。
【００６０】
また、本体部１ｂ内で、ハウジング３と内筒６との間に形成された空洞９には、２つ（複数）の金属微粒子生成部（イオン発生部：荷電粒子生成部）３０，４０や、ミスト生成部（イオン発生部：荷電粒子生成部）５０、ミスト生成部５０に電圧を印加する電圧印加回路１２等が収容されている。さらに、空洞９の電圧印加回路１２が収容された部位とは別の部位には、金属微粒子生成部３０，４０に電圧を印加する電圧印加回路１３が収容されている。
【００６１】
電圧印加回路１２および電圧印加回路１３は、把持部１ａ内、または本体部１ｂ内で把持部１ａの延長線上となる領域に配置するのが好適である。使用者が把持部１ａを持ったときに、電圧印加回路１２および電圧印加回路１３の質量に起因する回転モーメントを小さくして、使用者の手に作用する負荷を小さくするためである。
【００６２】
また、これら電圧印加回路１２および電圧印加回路１３を、内筒６を挟んで相互に反対側となる位置に配置するのが好適である。こうすれば、電圧印加回路１２と電圧印加回路１３との相互干渉による電圧の低下や不安定化等の不具合を抑制することができる。
【００６３】
さらに、本実施の形態１では、本体部１ｂの側面部分（空洞９の電圧印加回路１２が収容された部位とは別の部位）に、温風と冷風の切り換え（選択）や動作モードの選択等を行うスイッチ部（送風モード選択部）１９が設けられている。
【００６４】
また、把持部１ａの先端部１ｄには、電源のオンとオフとの切り換え等を行う別のスイッチ部（送風モード選択部）１６が設けられている。これら電気部品同士は、金属導体等からなる芯線を絶縁性樹脂等で被覆したリード線１７によって接続されている。
【００６５】
なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００６６】
本実施の形態１では、スイッチ部１６は、ハウジング３の表面に露出した操作子１６ａを操作することで、内部接点の開閉状態を切り換えることができるように構成されている。このとき、操作子１６ａを上下方向にスライドさせることで、内部接点の開閉状態を多段階に切り換えることができるようにすることが可能である。
【００６７】
例えば、電源オフ、弱風、中風、強風の４つのモードに切り換えられるようにすることが可能である。この場合、操作子１６ａを最下部に位置させた状態を電源オフとすることができる。
【００６８】
そして、操作子１６ａを最下部から一段階上方にスライドさせた際に、電源オン状態となって、弱風が送風されるようにすることができる。さらに、操作子１６ａを一段階上方にスライドさせた際に、中風が送風され、操作子１６ａを最上部までスライドさせた際に、強風が送風されるようにすることができる。
【００６９】
一方、温風と冷風の切り換えや動作モード等を行うスイッチ部１９は、ハウジング３の表面（側面）に形成した操作子１９ａを操作する（押圧する）ことで、内部接点の開閉状態を切り換えることができるように構成されている。そして、操作子１９の上方には、現在選択されているモードを表示する表示部１４が形成されている。
【００７０】
これらのスイッチ部１９や表示部１４などは、制御部１０と電気的に接続されている。
【００７１】
本実施の形態１では、操作子１９を操作することで、「ＨＯＴ」「温冷」「ＣＯＬＤ」「ＳＣＡＬＰ」の４つの風温モードを切り替えることができるようにしている。このとき、表示部１４には、選択されているモードを認識することが可能な文字等が表示されるようになっている。
【００７２】
以下、各モードおよび表示部１４への表示方法の一例について説明する。
【００７３】
「ＨＯＴ」とは、温風を出力するモードであって、通常の使用時に毛髪にあたる風の温度が約７０℃から８０℃となるようにしたモードである。この温風を出力するモードが選択されているときには、表示部１４に「ＨＯＴ」の文字が表示されるようにすることができる。
【００７４】
また、「温冷」とは、例えば、（温風５秒、冷風７秒）や（温風２秒、冷風６秒）といったように、温風と冷風を交互に出力するモードである。この「温冷」モードが選択されているときには、表示部１４に矢印が表示されるとともに、温風と冷風の出力に応じて「ＨＯＴ」と「ＣＯＬＤ」が交互に表示されるようにすることができる。
【００７５】
また、「ＣＯＬＤ」とは、冷風を出力するモードであって、通常の使用時に毛髪にあたる風の温度が約３０℃となるようにしたモードである。この冷風を出力するモードが選択されているときには、表示部１４に「ＣＯＬＤ」の文字が表示されるようにすることができる。
【００７６】
また、「ＳＣＡＬＰ」とは、低温風を出力するモードであって、通常の使用時に毛髪にあたる風の温度が約５０℃となるようにしたモードである。この「ＳＣＡＬＰ」モードは、主として頭皮のケアを行う際に選択されるモードとして設定するものである。そして、「ＳＣＡＬＰ」モードが選択されているときには、表示部１４に「ＳＣＡＬＰ」の文字が表示されるようにすることができる。
【００７７】
そして、操作子１６ａを上方にスライドさせて電源オン状態にすると、制御部１０が通電され、現在の送風モードに応じた駆動信号でヒータ８が駆動されるとともに、現在の送風モードを表示するように表示部１４の表示が制御される。なお、操作子１６ａを上方にスライドさせて単に電源オン状態にした状態では、「ＨＯＴ」モードが選択されており、温風が送風される。
【００７８】
そして、操作子１９ａを操作するたびに、押下信号が制御部１０に送られて４つの風温状態が「温冷」モード、「ＣＯＬＤ」モード、「ＳＣＡＬＰ」モード、「ＨＯＴ」モードの順に切り替わるようになっている。
【００７９】
さらに、本実施の形態１では、表示部１４に「ＳＫＩＮ」の文字が形成されており、弱風モードで、「ＣＯＬＤ」を選択した場合に、「ＣＯＬＤ」とともに「ＳＫＩＮ」が表示されるようにしている。
【００８０】
すなわち、弱風モードで、「ＣＯＬＤ」を選択した場合には、「ＳＫＩＮ」モードとして使用することもできるようになっている。なお、「ＳＫＩＮ」モードは、ミスト等が含まれた冷風を肌に当てることで肌の水分保湿を適度な状態となるようにする等、肌のケアを行う際に選択されるモードである。
【００８１】
なお、上記説明は一例に過ぎず、各モードの表示方法としては、様々な方法を用いることができる。また、温風と冷風の切り換えモードについても、様々なモードの設定が可能である。
【００８２】
また、カバー２０には、上述したように、金属微粒子吹出口（イオン放出口）２０ａ，２０ｂとミスト吹出口（イオン放出口）２０ｃとがそれぞれ独立して形成されている。
【００８３】
なお、ミスト生成部（イオン発生部：荷電粒子生成部）５０および金属微粒子生成部（イオン発生部：荷電粒子生成部）３０，４０の前方には、イオンが流れるイオン流路４ｃが形成されることとなるため、金属微粒子吹出口（イオン放出口）２０ａ，２０ｂおよびミスト吹出口（イオン放出口）２０ｃは、イオン流路４ｃの下流側に設けられることとなる。
【００８４】
また、カバー２０は、金属微粒子あるいはミストによる帯電を抑制するため、ハウジング３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。
【００８５】
カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がドライヤー１の外郭を構成している。
【００８６】
また、ミスト生成部（イオン発生部：荷電粒子生成部）５０の電極にカバー２０を当接させることで、カバー２０の除電を行えるようにすることも可能である。
【００８７】
また、本実施の形態１では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００８８】
また、本実施の形態１では、ミスト吹出口２０ｃの周辺部２０ｄに、金属微粒子吹出口（イオン放出口）２０ａ，２０ｂを形成している。
【００８９】
具体的には、金属微粒子吹出口２０ａと金属微粒子吹出口２０ｂとを、ミスト吹出口２０ｃが中心となるように並設している。
【００９０】
すなわち、カバー２０には、金属微粒子吹出口２０ａ，２０ｂおよびミスト吹出口２０ｃが、ドライヤー１の幅方向（図２の左右方向）に、金属微粒子吹出口２０ａ、ミスト吹出口２０ｃ、金属微粒子吹出口２０ｂの順に並ぶように形成されている。
【００９１】
このような配置とすることで、マイナスに帯電しているミストが、ミスト吹出口２０ｃの周辺部２０ｄに形成された金属微粒子吹出口（イオン放出口）２０ａ，２０ｂから吹き出されるマイナスイオンによって、外側へ拡散（離散）してしまうのを抑制できるようにしている。
【００９２】
その結果、ミストの直進性が向上してミストが髪に届きやすくなり、髪ケア効果をより高めることができる。
【００９３】
さらに、ミスト吹出口２０ｃの下流側かつ下方に、ミストの吹き出し方向に延在するように壁部２０ｅを設けている。この壁部２０ｅを設けることで、ミスト吹出口２０ｃから吹き出されたミストが下方に拡散（離散）してしまうのを抑制できるようにしている。
【００９４】
また、金属微粒子生成部３０，４０およびミスト生成部５０は、空洞９内でドライヤー１の幅方向（図２の左右方向）に、金属微粒子生成部３０、ミスト生成部５０、金属微粒子生成部４０の順に並列に配置されている。
【００９５】
そして、ミスト生成部５０と、当該ミスト生成部５０と隣り合う金属微粒子生成部（マイナスイオン発生部）３０、４０との間には、遮蔽板（仕切部）６ｄが設けられている。
【００９６】
そして、図４に示すように、遮蔽板６ｄを、ドライヤー１の上下方向およびミストの吹き出し方向（図４の左右方向）に延在するように配置することで、金属微粒子やミストが金属微粒子吹出口２０ａ，２０ｂおよびミスト吹出口２０ｃから吹き出される前に混合してしまうのを抑制している。
【００９７】
金属微粒子生成部３０，４０としては、導電性を有する金属材料によって形成される放電極（第１電極）および放電対向電極（第２電極）をそれぞれ有する金属微粒子生成装置等、従来公知のものを用いることができる。
【００９８】
また、ミスト生成部５０としても、従来公知のものを用いることができる。例えば、ペルチェ素子によって冷却された冷却板の表面に空気中の水分を結露させることで結露水を生じさせ、当該結露水を放電作用によって微粒化させることで、ナノメータサイズの非常に細かいミスト（マイナスイオンを含むマイナスに帯電されたミスト）を生成する静電霧化装置を用いることができる。
【００９９】
本実施の形態１では、このミスト生成部（イオン発生部）５０を、ミスト（荷電粒子を含む帯電微粒子水）を放出する荷電粒子生成部としている。
【０１００】
さらに、本実施の形態１では、毛髪の帯電状態を変更することが可能な帯電部（帯電付与パネル）１ｆを設けている。この帯電部１ｆは、把持部１ａの近傍に設けられている。具体的には、帯電部１ｆは、把持部１ａの外表面に露出する導電性樹脂（導電部材）で形成されている。
【０１０１】
ここで、本実施の形態１では、制御部１０が、ヒータ（加熱部）８の通電時間を制御したり、モータ５ｂの回転数を制御したり、荷電粒子生成部３０，４０，５０で生成される荷電粒子の生成量を制御したりすることで、様々な状態の風を毛髪にあてられるようにしている。
【０１０２】
この制御部１０は、図９に示すように、ヒータ（加熱部）８への通電のオン・オフを制御する通電制御部１０ａと、送風部５により出口開口（吐出口）４ｂから吐出される風の風量を制御する風量制御部１０ｂと、を備えている。また、制御部１０は、荷電粒子生成部３０，４０，５０で生成される荷電粒子の生成量を制御する荷電粒子生成量制御部１０ｃを備えている（図９参照）。
【０１０３】
また、制御部１０には、スイッチ部（送風モード選択部）１６やスイッチ部（送風モード選択部）１９からの信号が入力されるようになっている。
【０１０４】
すなわち、スイッチ部（送風モード選択部）１６やスイッチ部（送風モード選択部）１９を操作し、所望の送風モード（例えば、強風の温風が吐出されるモード等）を選択した際には、スイッチ部１６やスイッチ部１９からの信号が制御部１０に入力されるようになっている。
【０１０５】
そして、このスイッチ部１６やスイッチ部１９からの信号が制御部１０に入力されると、通電制御部１０ａ、風量制御部１０ｂおよび荷電粒子生成量制御部１０ｃが作動して、所望の送風モードとなるように、ヒータ（加熱部）８への通電、モータ５ｂの回転数および荷電粒子の生成量を制御するようにしている。
【０１０６】
本実施の形態１では、通電制御部１０ａは、ヒータ（加熱部）８への通電のオン・オフを制御しており、ヒータ（加熱部）８への通電をオフにした場合には、冷風が吐出されるようにしている。また、ヒータ（加熱部）８への通電をオンにした際には、比較的電力の低い通電と、比較的電力の高い通電の２種類の通電が行われるようにしている（図１３参照）。そして、比較的電力の低い通電を行った場合には、比較的温度の低い温風が吐出されることとなり、比較的電力の高い通電を行った場合には、比較的温度の高い温風が吐出されることとなる。なお、比較的低い電力で通電する場合には、毎秒６００Ｗの電力が通電されるようにし、比較的高い電力で通電する場合には、毎秒１２００Ｗの電力が通電されるようにすることができる。
【０１０７】
また、風量制御部１０ｂは、図１３に示すように、モータ５ｂの回転数を制御しており、モータ５ｂの回転を停止する（モータ５ｂの駆動を停止する）ことで、送風部５による送風が停止されるようにしている。また、比較的少ない回転数でモータ５ｂを駆動させることで、送風部５による比較的少ない量の送風が行われるようにしている。さらに、比較的多い回転数でモータ５ｂを駆動させることで、送風部５による比較的多い量の送風が行われるようにしている。
【０１０８】
なお、比較的少ない量の送風が行われる際には、風量を１ｍ３／分以下（例えば０．７ｍ３／分）とするのが好ましい。こうすれば、風をあてた際の毛先の保持性を高めることができる（図１０参照）。一方、比較的多い量の送風が行われる際には、風量が１ｍ３／分以上（例えば１．３ｍ３／分）となるようにするのが好ましい。こうすれば、毛先以外の部位の整髪や乾燥を行う際に、より効率的に行うことができる。この風量は、例えば、出口開口（吐出口）４ｂの面積および出口開口（吐出口）４ｂから吐出される風の流速（平均速度）等から求めることができる。
【０１０９】
また、図１３には、送風部５による送風量が２段階で切り替わるものを例示しているが、本実施の形態１で示したように、強風、中風、弱風の３段階で風量が切り替わる場合には、各モードに応じた回転数でモータ５ｂの回転数を制御すればよい。
【０１１０】
また、１ｍ３／分以下の風量の選択や１ｍ３／分以上の風量の選択は、３段階で切り替わるスイッチ部１６によって行うようにすることができる。例えば、弱風モードの時に、１ｍ３／分以下の風量とし、中風モードおよび強風モードの時に１ｍ３／分以上の風量とすることができる。なお、強風、中風、弱風のいずれのモードにおいても、１ｍ３／分以上の風量となるようにし、別途設けたスイッチ部を操作した際に、１ｍ３／分以下の風量となるようにすることも可能である。
【０１１１】
また、荷電粒子生成量制御部１０ｃは、電圧印加回路１２，１３に印加する電圧を制御しており、印加する電圧を比較的低くすることで、荷電粒子の生成量が少なくなるようにしている。また、印加する電圧を比較的高くすることで、荷電粒子の生成量が多くなるようにしている。この電圧印加回路１２，１３に印加する電圧は、例えば、−１ｋＶ〜−３ｋＶの範囲で適宜設定することができる。
【０１１２】
ここで、本実施の形態１にかかるヘアドライヤ１においては、毛髪の乾燥、施術等の用途や乾燥、施術等を行う毛髪の部位（毛先や根元部等）に応じて様々なモードを選択することができるようになっている。そして、各モードを選択した際には、図１２に示すような制御が行われるようにしている。
【０１１３】
具体的には、１ｍ３／分以上の風量を吐出させるモードで温風モードを選択した場合には、風量制御部１０ｂは、モータ５ｂの回転数が多くなるように制御する。また、通電制御部１０ａは、ヒータ（加熱部）８への通電が高くなるように制御する。そして、荷電粒子生成量制御部１０ｃは、荷電粒子の生成量が多くなるように制御する。
【０１１４】
また、１ｍ３／分以上の風量を吐出させるモードで冷風モードを選択した場合には、風量制御部１０ｂは、モータ５ｂの回転数が多くなるように制御する。また、通電制御部１０ａは、ヒータ（加熱部）８への通電がオフとなるように制御する。そして、荷電粒子生成量制御部１０ｃは、荷電粒子の生成量が多くなるように制御する。
【０１１５】
また、１ｍ３／分以上の風量を吐出させるモードで温冷モードを選択した場合には、風量制御部１０ｂは、モータ５ｂの回転数が多くなるように制御する。また、通電制御部１０ａは、ヒータ（加熱部）８への通電が、所定の周期で高とオフとを交互に繰り返すように制御する。そして、荷電粒子生成量制御部１０ｃは、荷電粒子の生成量が多くなるように制御する。なお、このモードでは、ヒータ（加熱部）８への通電の周期を１２秒と比較的長くしており、ヒータ（加熱部）８への通電が高となる時間ｔ１を５秒、ヒータ（加熱部）８への通電がオフとなる時間ｔ２を７秒としている（図１３参照）。
【０１１６】
一方、１ｍ３／分以下の風量を吐出させるモードで温風モードを選択した場合には、風量制御部１０ｂは、モータ５ｂの回転数が少なくなるように制御する。また、通電制御部１０ａは、ヒータ（加熱部）８への通電が低くなるように制御する。そして、荷電粒子生成量制御部１０ｃは、荷電粒子の生成量が多くなるように制御する。
【０１１７】
また、１ｍ３／分以下の風量を吐出させるモードで冷風モードを選択した場合には、風量制御部１０ｂは、モータ５ｂの回転数が少なくなるように制御する。また、通電制御部１０ａは、ヒータ（加熱部）８への通電がオフとなるように制御する。そして、荷電粒子生成量制御部１０ｃは、荷電粒子の生成量が多くなるように制御する。
【０１１８】
また、１ｍ３／分以下の風量を吐出させるモードで温冷モードを選択した場合には、風量制御部１０ｂは、モータ５ｂの回転数が少なくなるように制御する。また、通電制御部１０ａは、ヒータ（加熱部）８への通電が、所定の周期で高とオフとを交互に繰り返すように制御する。そして、荷電粒子生成量制御部１０ｃは、荷電粒子の生成量が多い状態と少ない状態とを交互に繰り返すように制御する。なお、このモードでは、ヒータ（加熱部）８への通電の周期を８秒と比較的短くしており、ヒータ（加熱部）８への通電が高となる時間ｔ３を２秒（３秒以下）、ヒータ（加熱部）８への通電がオフとなる時間ｔ４を６秒としている（図１３参照）。また、荷電粒子生成量制御部１０ｃは、ヒータ（加熱部）８への通電がオンとなっている時の全体で、荷電粒子の生成量が多くなるようにし、ヒータ（加熱部）８への通電がオフとなっている時の全体で、荷電粒子の生成量が少なくなるようにしている。
【０１１９】
さらに、本実施の形態１では、比較的短い周期でヒータ（加熱部）８への通電を繰り返す場合に、当該周期内で、ヒータ（加熱部）８を通電する通電時間を３秒以下とするとともに、ヒータ（加熱部）８に入力する電力と通電時間との積が１０００Ｗ・ｓ以上となるようにしている。
【０１２０】
したがって、本実施の形態１の通電制御部１０ａは、スイッチ部（送風モード選択部）１９により温冷モードが選択された状態において、所定の周期内でヒータ（加熱部）８を通電する通電時間を３秒以下とするとともに、ヒータ（加熱部）８に入力する電力と通電時間との積が１０００Ｗ・ｓ以上となるように制御する第１の通電制御モードを有していることになる。
【０１２１】
なお、ヒータ（加熱部）８を通電する通電時間を３秒以下とすれば、手で毛先を保持した状態で温風をあてた際に、熱さにより毛先を手で保持できなくなってしまうのを抑制することができる。
【０１２２】
また、ヒータ（加熱部）８に入力する電力と通電時間との積を１０００Ｗ・ｓ以上とすれば、温風温度を６０℃以上（毛髪のくせを伸ばす等の施術に必要な髪温度）とすることができ、毛髪に施術効果を与えることができるようになる。
【０１２３】
したがって、本実施の形態１にかかるヘアドライヤ１を用い、１ｍ３／分以下の風量を吐出させるモードで温冷モードを選択すれば、毛先の施術をより容易に行うことができる。
【０１２４】
なお、本実施の形態１では、風量制御部１０ｂが、出口開口（吐出口）４ｂから吐出される風の風量が１ｍ３／分以下となるように制御する第１の送風制御モードを有している。そして、第１の送風制御モードが動作しているときに、第１の通電制御モードを動作させるようにしている。
【０１２５】
また、本実施の形態１では、荷電粒子生成量制御部１０ｃが、第１の荷電粒子生成量制御モードと、第１の荷電粒子生成量制御モードとは異なる量の荷電粒子を生成する第２の荷電粒子生成量制御モードと、を有している。そして、第１の通電制御モードを動作させた状態において、第１の荷電粒子生成量制御モードと第２の荷電粒子生成量制御モードとを動作させるようにしている。さらに、ヒータ（加熱部）８を通電する時間のうち少なくとも一部の時間で第２の荷電粒子生成量制御モードを作動させるようにしている。
【０１２６】
このとき、第２の荷電粒子生成量制御モードで生成される荷電粒子の量を、第１の荷電粒子生成量制御モードで生成される荷電粒子の量よりも多くなるようにしている。すなわち、毛髪の電気抵抗値が大きくなる冷風をあてた状態の時（毛髪が乾燥している時や毛髪温度が低い時）に、生成される荷電粒子の量が少なくなるようにしている。
【０１２７】
このように、本実施の形態１では、毛髪表面の導電性の変化に応じて、生成される荷電粒子の量を制御することで、より安定して静電気の除去を行えるようにしている。
【０１２８】
以上、説明したように、本実施の形態１では、ヘアドライヤ（加熱送風装置）１は、入口開口（吸入口）４ａから出口開口（吐出口）４ｂに至る風洞（送風流路）４が設けられ、外郭を構成するハウジング３と、ハウジング３内に設けられ、入口開口（吸入口）４ａから吸入した空気を出口開口（吐出口）４ｂから吐出させる送風部５と、ハウジング３内に設けられ、送風部５により送風される風を加熱するヒータ（加熱部）８と、を備えている。
【０１２９】
また、ヘアドライヤ（加熱送風装置）１は、出口開口（吐出口）４ｂから温風と冷風とを所定の周期で交互に吐出させる温冷モードを選択するスイッチ部（送風モード選択部）１９と、ヒータ（加熱部）８への通電のオン・オフを制御する通電制御部１０ａと、を備えている。
【０１３０】
そして、通電制御部１０ａは、スイッチ部（送風モード選択部）１９により温冷モードが選択された状態において、所定の周期内でヒータ（加熱部）８を通電する通電時間を３秒以下とするとともに、ヒータ（加熱部）８に入力する電力と通電時間との積が１０００Ｗ・ｓ以上となるように制御する第１の通電制御モードを有している。
【０１３１】
こうすれば、毛髪のくせを伸ばす等の施術に必要な髪温度（毛髪繊維同士の水素結合を切断できる髪温度）を、比較的短い時間で得ることができ、毛先の整髪も行いやすくなって、毛髪の施術効果をより向上させることが可能となる。
【０１３２】
また、ヘアドライヤ（加熱送風装置）１が、送風部５により出口開口（吐出口）４ｂから吐出される風の風量を制御する風量制御部１０ｂをさらに備えていてもよい。そして、この風量制御部１０ｂが、出口開口（吐出口）４ｂから吐出される風の風量が１ｍ３／分以下となるように制御する第１の送風制御モードを有するようにしてもよい。
【０１３３】
さらに、第１の送風制御モードが動作しているときに、第１の通電制御モードを動作させるようにしてもよい。
【０１３４】
こうすれば、風があたることで毛先が逃げてしまう（ばらけすぎてしまう）のが抑制されるため、熱をより安定的に毛先に伝えることができるようになって、毛髪の施術効果をより向上させることができる。
【０１３５】
また、ヘアドライヤ（加熱送風装置）１が、ハウジング３内に設けられて荷電粒子を生成する荷電粒子生成部３０，４０，５０と、荷電粒子生成部３０，４０，５０で生成される荷電粒子の生成量を制御する荷電粒子生成量制御部１０ｃと、をさらに備えるようにしてもよい。
【０１３６】
そして、荷電粒子生成量制御部１０ｃが、第１の荷電粒子生成量制御モードと、第１の荷電粒子生成量制御モードとは異なる量の荷電粒子を生成する第２の荷電粒子生成量制御モードと、を有するようにしてもよい。
【０１３７】
さらに、第１の通電制御モードを動作させた状態において、第１の荷電粒子生成量制御モードと第２の荷電粒子生成量制御モードとを動作させ、ヒータ（加熱部）８を通電する時間のうち少なくとも一部の時間で第２の荷電粒子生成量制御モードを作動させるようにしてもよい。
【０１３８】
こうすれば、毛髪の状態に合わせて荷電粒子の発生量を変化させることができ、荷電粒子の毛髪への付着状態をより安定させることが可能となる。また、より確実に静電気の除去を行うことが可能となる。
【０１３９】
このとき、第２の荷電粒子生成量制御モードで生成される荷電粒子の量を、第１の荷電粒子生成量制御モードで生成される荷電粒子の量よりも多くすることが可能である。
【０１４０】
こうすれば、毛髪の温度に合わせて荷電粒子の発生量を変化させることができ、毛髪表面の導電性が変化した場合であっても、荷電粒子の毛髪への付着状態をより安定させることが可能となる。また、より確実に静電気の除去を行うことが可能となる。
【０１４１】
以上、本発明の好適な実施形態について説明したが、本発明は上記実施の形態１には限定されず、種々の変形が可能である。
【０１４２】
例えば、図１４に示すように、加熱送風装置としてのブラシ付きヘアドライヤ１Ｂに本発明を適用することも可能である。
【０１４３】
ブラシ付きヘアドライヤ１Ｂは、棒状に形成されており、使用者が把持部１ａを持って先端部１ｇに設けられたブラシ部２３を髪に当てて整髪する（髪を梳かす）ものである。ブラシ部２３には、複数のブリッスル２３ａが突設されている。
【０１４４】
外壁をなす（外郭を構成する）ハウジング３Ｂは、複数の分割体を継ぎ合わせて構成されており、その内部には風洞（送風流路）９Ｂが形成され、この風洞９Ｂ内に、各種電気部品が収容されている。
【０１４５】
また、把持部１ａのブラシ部２３に近い部分には、膨出した形状の外壁をなす（外郭を構成する）カバー２０Ｂが取り付けられており、このカバー２０Ｂとハウジング３Ｂとによって形成される風洞９Ｂ内に、金属微粒子生成部３０，４０とミスト生成部５０とが収容されている。
【０１４６】
カバー２０Ｂには、ブリッスル２３ａに向けて開放された排出口２０ａ，２０ｂが形成されており、金属微粒子生成部３０，４０で生成された金属微粒子ならびにミスト生成部５０で生成されたミストは、この排出口２０ａ，２０ｂから外部に放出され、髪や地肌に作用することになる。なお、金属微粒子生成部３０，４０およびミスト生成部５０には、回路部２４から電圧が印加される。
【０１４７】
また、風洞９Ｂに空気流Ｗを生じさせるファン５Ｂおよびこのファン５Ｂを回転させるモータ７Ｂを設け、金属微粒子生成部３０，４０で生成した金属微粒子ならびにミスト生成部５０で生成したミストを、分岐流Ｗｐに乗せて排出できるようにしている。
【０１４８】
モータ７Ｂおよびファン５Ｂは、ケース３Ｂ内に形成される風洞９Ｂ内に収容されている。モータ７Ｂは回路部２４に含まれる駆動回路によって回転駆動される。
【０１４９】
ケース３Ｂの基端側（図１４では下側）には空気の吸入口となる開口部１ｈが形成されており、ファン５Ｂが回転すると、空気が外部から開口部１ｈを介して風洞９Ｂ内に流入し、当該風洞９Ｂ内を通ってブラシ部２３に向けて排出される空気流Ｗが形成される。空気流Ｗは、ブラシ部２３のブリッスル２３ａの根元に形成された吹出孔（吐出口）２３ｂから吹き出される。
【０１５０】
さらに、使用者の帯電によって金属微粒子の放出が阻害されるのを抑制するため、把持部１ａの表面に帯電部（帯電付与パネル）１ｆを露出させてある。
【０１５１】
また、遮蔽壁２２Ｂを設け、ミスト生成部５０で生成されたミストが金属微粒子生成部３０，４０に到達するのを抑制している。
【０１５２】
このようなブラシ付きヘアドライヤ（加熱送風装置）１Ｂに本発明を適用しても、上記実施の形態１と同様の作用、効果を奏することができる。
【０１５３】
また、上記実施の形態１では、イオン発生部として、金属微粒子およびマイナスイオンを生成する金属微粒子生成部を例示したが、金属微粒子は生成せず、単にマイナスイオンを生成するものを用いてもよい。
【０１５４】
また、プラスイオンを生成するイオン生成装置にあっても、本発明を適用することができる。このように、プラスイオンを生成すると、ウィッグなどの人工毛をつけた毛髪に使用する場合に有効である。ウィッグなどの人工毛はマイナスに帯電しやすいので、プラスイオンを供給することで、静電気が生じてしまうのを抑制することができるためである。
【０１５５】
また、上記実施の形態１では、金属微粒子吹出口（イオン放出口）を２つ形成したものを例示したが、金属微粒子吹出口（イオン放出口）を３つ以上形成することも可能である。
【０１５６】
また、上記実施の形態１では、分岐流によって、金属微粒子およびミストを吹き出すようにしたものを例示したが、分岐流がない場合でも、金属微粒子およびミストを対応する吹出口から吹き出すことができる。
【０１５７】
また、毛髪に髪ケア効果を与えるとともに、毛髪が比較的乾燥した状態のときに発生量を減少させることで髪ケア効果が向上する髪ケア剤を放出させるようにすることも可能である。このような髪ケア剤としては、例えば、オイル成分を含有する剤が挙げられる。オイル成分を含有する剤は、毛髪表面への付着が少量であることで髪ケア効果が向上するものがある。
【０１５８】
また、環境温度（外気温度：使用者がいる場所の室温、気温等）を検知する環境温度検知部を備えるようにして、環境温度検知部が検知した環境温度に応じて、加熱部への通電量や通電時間を変化させるようにしてもよい。
【０１５９】
また、使用者の髪質（太さや長さ等）に応じて荷電微粒子の供給量や供給時間を変化させるようにしてもよい。
【０１６０】
また、カバーやハウジング、その他細部のスペック（形状、大きさ、レイアウト等）も適宜に変更可能である。
【産業上の利用可能性】
【０１６１】
本発明にかかる加熱送風装置は、施術に必要な髪温度を比較的短い時間で得ることができるため、人用ドライヤー以外にも、例えばペット用ドライヤー等の用途にも適用できる。
【符号の説明】
【０１６２】
１  ヘアドライヤ（加熱送風装置）
１Ｂ  ブラシ付きヘアドライヤ（加熱送風装置）
３  ハウジング
４  風洞（送風流路）
４ａ  入口開口（吸入口）
４ｂ  出口開口（吐出口）
５  送風部
８  ヒータ（加熱部）
１０  制御部
１０ａ  通電制御部
１０ｂ  風量制御部
１０ｃ  荷電粒子生成量制御部
１６  スイッチ部（送風モード選択部）
１９  スイッチ部（送風モード選択部）
３０  金属微粒子生成部（荷電粒子生成部）
４０  金属微粒子生成部（荷電粒子生成部）
５０  ミスト生成部（荷電粒子生成部）
【図１】
2018143283.tif 000003
【図２】
2018143283.tif 000004
【図３】
2018143283.tif 000005
【図４】
2018143283.tif 000006
【図５】
2018143283.tif 000007
【図６】
2018143283.tif 000008
【図７】
2018143283.tif 000009
【図８】
2018143283.tif 000010
【図９】
2018143283.tif 000011
【図１０】
2018143283.tif 000012
【図１１】
2018143283.tif 000013
【図１２】
2018143283.tif 000014
【図１３】
2018143283.tif 000015
【図１４】
2018143283.tif 000016